(57)【要約】【課題】本発明は家庭用の有機性廃棄物のバイオトランスフォーメーション装置を開示した。【解決手段】主体を含み、前記主体の中には輸送チャンバが設置され、前記輸送チャンバの下側には転化チャンバが設置され、前記転化チャンバが前記輸送チャンバと連通でき、前記輸送チャンバの右側には粉砕チャンバが設置され、前記粉砕チャンバと前記輸送チャンバとが連通するように設置され、前記粉砕チャンバの下側には圧力かけチャンバが設置され、前記圧力かけチャンバが前記粉砕チャンバと連通でき、前記圧力かけチャンバの左側には移動チャンバが設置され、前記移動チャンバの中には右方へ移動できる圧力かけ機構が設置され、前記粉砕チャンバの中には固体有機性廃棄物を粉砕できる粉砕機構が設置され、更に人のゴミ分別への意識を高め、得た変成物は有機性肥料として花又は農作物などに施されることができる。【選択図】図１
2020195990.tif 000002
【特許請求の範囲】
【請求項１】
正面視で、主体を含み、
前記主体の中には輸送チャンバが設置され、前記輸送チャンバの下側には転化チャンバが設置され、前記転化チャンバが前記輸送チャンバと連通でき、前記輸送チャンバの右側には粉砕チャンバが設置され、前記粉砕チャンバと前記輸送チャンバとが連通するように設置され、前記粉砕チャンバの下側には圧力かけチャンバが設置され、前記圧力かけチャンバが前記粉砕チャンバと連通でき、
前記圧力かけチャンバの左側には移動チャンバが設置され、前記移動チャンバの中には右方へ移動できる圧力かけ機構が設置され、前記粉砕チャンバの中には固体有機性廃棄物を粉砕できる粉砕機構が設置され、前記輸送チャンバの中には固体有機性廃棄物と液体有機性廃棄物とを選別して分離させることができる輸送機構が設置され、前記輸送チャンバの右壁には閉鎖されたチャンバを開けることができるドア開け機構が設置され、前記輸送チャンバの後側には伝動チャンバが設置され、前記伝動チャンバの中には伝動を制御する伝動機構が設置され、前記伝動チャンバの下側には動力チャンバが設置され、前記動力チャンバの中には動力を提供する動力機構が設置されていることを特徴とする家庭用の有機性廃棄物のバイオトランスフォーメーション装置。
【請求項２】
前記ドア開け機構は上げ板と、コンロッドと、ボルトとを含み、前記上げ板と前記輸送チャンバの右壁とがヒンジで連結され、前記輸送チャンバの右壁の中にはスライド溝が形成されており、前記ボルトが前記スライド溝の中にスライドできるように設置され、前記ボルトと前記上げ板との間が前記コンロッドによってヒンジで連結され、前記粉砕チャンバの頂壁の中には押しチャンバが設置され、前記押しチャンバと前記スライド溝とが連通するように設置され、前記押しチャンバの底壁には転化試薬キットが装着され、前記転化試薬キットの底端が前記粉砕チャンバに連通しており、前記転化試薬キットの頂端には破片が当接しており、前記破片の右側末端と前記押しチャンバの右壁とが固定的に連結され、前記破片の左側末端と前記プラグとが固定的に連結されていることを特徴とする請求項１に記載の家庭用の有機性廃棄物のバイオトランスフォーメーション装置。
【請求項３】
前記輸送機構は前記輸送チャンバの後側壁に回転できるように設置された二つの伝動軸を含み、二つの前記伝動軸が左右対称的に設置され、二つの前記伝動軸の外周にはいずれもメッシュベルト輪が固定的に設置され、二つの前記メッシュベルト輪の間にはメッシュベルトが装着されていることを特徴とする請求項２に記載の家庭用の有機性廃棄物のバイオトランスフォーメーション装置。
【請求項４】
左側の前記伝動軸の後方に伸びている部分が前記輸送チャンバの後壁を貫通し、また前記伝動チャンバの中に伸びており、左側に位置している前記伝動軸の後端には第一伝動輪が固定的に設置され、前記伝動チャンバの後壁には第一従動軸が回転できるように設置され、前記第一従動軸の外周には第二伝動輪が固定的に設置され、前記第二伝動輪と前記第一伝動輪とが噛み合っており、前記伝動チャンバの底壁には長軸が回転できるように設置され、前記長軸の頂端には第一ベベルギヤが固定的に設置され、前記第一従動軸の前端には第二ベベルギヤが固定的に設置され、前記第二ベベルギヤと前記第一ベベルギヤとが噛み合っており、前記長軸の外周には第一ギヤが固定的に設置され、前記輸送チャンバと前記転化チャンバとの間には仕切り板がスライドできるように設置され、前記仕切り板の後端は歯を持ち、且つ前記第一ギヤと噛み合っていることを特徴とする請求項３に記載の家庭用の有機性廃棄物のバイオトランスフォーメーション装置。
【請求項５】
前記転化チャンバの左壁にはスライドロッドが固定的に設置され、前記転化チャンバの左側内壁の中には試薬瓶が固定的に嵌められ、前記スライドロッドの外周には第一スライダと第二スライダとがスライドできるように設置され、前記第一スライダが前記スライドロッドの下端と当接しており、前記第二スライダが前記試薬瓶の右端と当接しており、前記第一スライダと前記第二スライダとの間にはばねが装着され、前記転化チャンバの下側が外部空間と連通するように設置され、且つ連通したところにはバルブが固定的に設置されていることを特徴とする請求項４に記載の家庭用の有機性廃棄物のバイオトランスフォーメーション装置。
【請求項６】
前記粉砕機構は前記粉砕チャンバの後壁に回転できるように設置された旋転軸を含み、前記旋転軸の外周には粉砕輪が固定的に設置され、前記旋転軸の後方に伸びている部分が前記伝動チャンバの中に伸びており、また前記旋転軸の後方に伸びている部分の末端には第三ベベルギヤが固定的に設置され、前記伝動チャンバの底壁には第一スクリューが回転できるように設置され、前記第一スクリューの頂端には第四ベベルギヤが固定的に設置され、前記第四ベベルギヤと前記第三ベベルギヤとが噛み合っており、前記第一スクリューの外周には第一ベルトプーリが固定的に設置され、前記第三ベベルギヤの外周には第二ベルトプーリが固定的に設置され、前記第二ベルトプーリが前記第一ギヤの下側に位置しており、前記第二ベルトプーリと前記第一ベルトプーリとの間にはベルトが装着されていることを特徴とする請求項１に記載の家庭用の有機性廃棄物のバイオトランスフォーメーション装置。
【請求項７】
前記動力機構はモーターを含み、前記モーターの左右両側には二つの対称的に設置された電磁石が固定的に設置され、前記動力チャンバの左右両側端壁には二つの対称的に設置された磁石が固定的に設置され、前記モーターには第二ギヤが動力が伝達できるように連結され、前記長軸の下方に伸びている部分が前記伝動チャンバの底壁を貫通して前記動力チャンバの中に伸びており、また前記長軸の下方に伸びている部分の末端には第三ギヤが固定的に設置され、前記第三ギヤが前記第二ギヤと噛み合うことができ、前記動力チャンバの下側には補助チャンバが設置され、前記補助チャンバと前記動力チャンバとの間の内壁には上下方向に伸びるように設置された第二従動軸が回転できるように設置され、前記第二従動軸の上方に伸びている部分の末端には第四ギヤが固定的に設置され、前記第四ギヤが前記第二ギヤと噛み合うことができ、前記第二従動軸の下方に伸びている部分の末端には第三伝動輪が固定的に設置されていることを特徴とする請求項１に記載の家庭用の有機性廃棄物のバイオトランスフォーメーション装置。
【請求項８】
前記圧力かけ機構はプッシュ板と回収ドアとを含み、前記回収ドアがロックされ又は開けられることができ、前記プッシュ板が前記圧力かけチャンバの中にスライドできるように設置され、前記回収ドアが前記主体の右端面に位置しており、前記プッシュ板の左端には第一ネジスリーブが固定的に設置され、前記移動チャンバの左壁には第二スクリューが回転できるように設置され、前記第二スクリューと前記第一ネジスリーブとがネジ山によって連結され、前記第二スクリューの外周には第五ベベルギヤが固定的に設置され、前記移動チャンバと前記補助チャンバとの間の内壁には前後方向に伸びるように設置された第一短軸が回転できるように設置され、前記第一短軸の前方に伸びている部分の末端には第六ベベルギヤが固定的に設置され、前記第六ベベルギヤと前記第五ベベルギヤとが噛み合っており、前記第一短軸の後方に伸びている部分の末端には第四伝動輪が固定的に設置され、前記第四伝動輪と前記第三伝動輪とが噛み合っていることを特徴とする請求項１に記載の家庭用の有機性廃棄物のバイオトランスフォーメーション装置。
【発明の詳細な説明】
【技術分野】
【０００１】
本発明はバイオトランスフォーメーション技術分野に関わり、具体的には家庭用の有機性廃棄物のバイオトランスフォーメーション装置である。
【背景技術】
【０００２】
バイオトランスフォーメーションとは毒物が酵素の触媒作用によると毒物の化学構造が変わる代謝過程であり、家には有機性廃棄物があったら、一般的にゴミと一緒に直接捨てられ、こうしてゴミ分別の理念と符合しなくなり、二次汚染が発生しやすく、しかしこういう有機性廃棄物にバイオトランスフォーメーションの処理を行うと、得た変成物は二次利用されることができ、肥料又は助燃剤として使われることができ、環境を汚染する可能性を大に下げ、従って、家庭用の有機性廃棄物のバイオトランスフォーメーション装置をデザインする必要があり、家庭に生み出された有機性廃棄物が環境を汚染することはしなく、有機性廃棄物がより効果的に利用されることができる。
【先行技術文献】
【特許文献】
【０００３】
【特許文献１】中国特許出願公開第１９３８４０５号明細書
【発明の概要】
【発明が解決しようとする課題】
【０００４】
本発明は家庭用の有機性廃棄物のバイオトランスフォーメーション装置を提供し、既存技術にある上記の欠点を解消することを目的とする。
【課題を解決するための手段】
【０００５】
本発明の実施例の家庭用の有機性廃棄物のバイオトランスフォーメーション装置は、主体を含み、前記主体の中には輸送チャンバが設置され、前記輸送チャンバの下側には転化チャンバが設置され、前記転化チャンバが前記輸送チャンバと連通でき、前記輸送チャンバの右側には粉砕チャンバが設置され、前記粉砕チャンバと前記輸送チャンバとが連通するように設置され、前記粉砕チャンバの下側には圧力かけチャンバが設置され、前記圧力かけチャンバが前記粉砕チャンバと連通でき、前記圧力かけチャンバの左側には移動チャンバが設置され、前記移動チャンバの中には右方へ移動できる圧力かけ機構が設置され、前記粉砕チャンバの中には固体有機性廃棄物を粉砕できる粉砕機構が設置され、前記輸送チャンバの中には固体有機性廃棄物と液体有機性廃棄物とを選別して分離させることができる輸送機構が設置され、前記輸送チャンバの右壁には閉鎖されたチャンバを開けることができるドア開け機構が設置され、前記輸送チャンバの後側には伝動チャンバが設置され、前記伝動チャンバの中には伝動を制御する伝動機構が設置され、前記伝動チャンバの下側には動力チャンバが設置され、前記動力チャンバの中には動力を提供する動力機構が設置されている。
【０００６】
さらなる技術プランには、前記ドア開け機構は上げ板と、コンロッドと、ボルトとを含み、前記上げ板と前記輸送チャンバの右壁とがヒンジで連結され、前記輸送チャンバの右壁の中にはスライド溝が形成されており、前記ボルトが前記スライド溝の中にスライドできるように設置され、前記ボルトと前記上げ板との間が前記コンロッドによってヒンジで連結され、前記粉砕チャンバの頂壁の中には押しチャンバが設置され、前記押しチャンバと前記スライド溝とが連通するように設置され、前記押しチャンバの底壁には転化試薬キットが装着され、前記転化試薬キットの底端が前記粉砕チャンバに連通しており、前記転化試薬キットの頂端には破片が当接しており、前記破片の右側末端と前記押しチャンバの右壁とが固定的に連結され、前記破片の左側末端と前記プラグとが固定的に連結されている。
【０００７】
さらなる技術プランには、前記輸送機構は前記輸送チャンバの後側壁に回転できるように設置された二つの伝動軸を含み、二つの前記伝動軸が左右対称的に設置され、二つの前記伝動軸の外周にはいずれもメッシュベルト輪が固定的に設置され、二つの前記メッシュベルト輪の間にはメッシュベルトが装着されている。
【０００８】
さらなる技術プランには、左側の前記伝動軸の後方に伸びている部分が前記輸送チャンバの後壁を貫通し、また前記伝動チャンバの中に伸びており、左側に位置している前記伝動軸の後端には第一伝動輪が固定的に設置され、前記伝動チャンバの後壁には第一従動軸が回転できるように設置され、前記第一従動軸の外周には第二伝動輪が固定的に設置され、前記第二伝動輪と前記第一伝動輪とが噛み合っており、前記伝動チャンバの底壁には長軸が回転できるように設置され、前記長軸の頂端には第一ベベルギヤが固定的に設置され、前記第一従動軸の前端には第二ベベルギヤが固定的に設置され、前記第二ベベルギヤと前記第一ベベルギヤとが噛み合っており、前記長軸の外周には第一ギヤが固定的に設置され、前記輸送チャンバと前記転化チャンバとの間には仕切り板がスライドできるように設置され、前記仕切り板の後端は歯を持ち、且つ前記第一ギヤと噛み合っている。
【０００９】
さらなる技術プランには、前記転化チャンバの左壁にはスライドロッドが固定的に設置され、前記転化チャンバの左側内壁の中には試薬瓶が固定的に嵌められ、前記スライドロッドの外周には第一スライダと第二スライダとがスライドできるように設置され、前記第一スライダが前記スライドロッドの下端と当接しており、前記第二スライダが前記試薬瓶の右端と当接しており、前記第一スライダと前記第二スライダとの間にはばねが装着され、前記転化チャンバの下側が外部空間と連通するように設置され、且つ連通したところにはバルブが固定的に設置されている。
【００１０】
さらなる技術プランには、前記粉砕機構は前記粉砕チャンバの後壁に回転できるように設置された旋転軸を含み、前記旋転軸の外周には粉砕輪が固定的に設置され、前記旋転軸の後方に伸びている部分が前記伝動チャンバの中に伸びており、また前記旋転軸の後方に伸びている部分の末端には第三ベベルギヤが固定的に設置され、前記伝動チャンバの底壁には第一スクリューが回転できるように設置され、前記第一スクリューの頂端には第四ベベルギヤが固定的に設置され、前記第四ベベルギヤと前記第三ベベルギヤとが噛み合っており、前記第一スクリューの外周には第一ベルトプーリが固定的に設置され、前記第三ベベルギヤの外周には第二ベルトプーリが固定的に設置され、前記第二ベルトプーリが前記第一ギヤの下側に位置しており、前記第二ベルトプーリと前記第一ベルトプーリとの間にはベルトが装着されている。
【００１１】
さらなる技術プランには、前記動力機構はモーターを含み、前記モーターの左右両側には二つの対称的に設置された電磁石が固定的に設置され、前記動力チャンバの左右両側端壁には二つの対称的に設置された磁石が固定的に設置され、前記モーターには第二ギヤが動力が伝達できるように連結され、前記長軸の下方に伸びている部分が前記伝動チャンバの底壁を貫通して前記動力チャンバの中に伸びており、また前記長軸の下方に伸びている部分の末端には第三ギヤが固定的に設置され、前記第三ギヤが前記第二ギヤと噛み合うことができ、前記動力チャンバの下側には補助チャンバが設置され、前記補助チャンバと前記動力チャンバとの間の内壁には上下方向に伸びるように設置された第二従動軸が回転できるように設置され、前記第二従動軸の上方に伸びている部分の末端には第四ギヤが固定的に設置され、前記第四ギヤが前記第二ギヤと噛み合うことができ、前記第二従動軸の下方に伸びている部分の末端には第三伝動輪が固定的に設置されている。
【００１２】
さらなる技術プランには、前記圧力かけ機構はプッシュ板と回収ドアとを含み、前記回収ドアがロックされ又は開けられることができ、前記プッシュ板が前記圧力かけチャンバの中にスライドできるように設置され、前記回収ドアが前記主体の右端面に位置しており、前記プッシュ板の左端には第一ネジスリーブが固定的に設置され、前記移動チャンバの左壁には第二スクリューが回転できるように設置され、前記第二スクリューと前記第一ネジスリーブとがネジ山によって連結され、前記第二スクリューの外周には第五ベベルギヤが固定的に設置され、前記移動チャンバと前記補助チャンバとの間の内壁には前後方向に伸びるように設置された第一短軸が回転できるように設置され、前記第一短軸の前方に伸びている部分の末端には第六ベベルギヤが固定的に設置され、前記第六ベベルギヤと前記第五ベベルギヤとが噛み合っており、前記第一短軸の後方に伸びている部分の末端には第四伝動輪が固定的に設置され、前記第四伝動輪と前記第三伝動輪とが噛み合っている。
【発明の効果】
【００１３】
本発明の有益な効果は：本発明によって家庭に生み出された有機性廃棄物を効果的に利用でき、更に人のゴミ分別への意識を高め、得た変成物は有機性肥料として花又は農作物などに施され、助燃剤として使われることもでき、また一部の毒のある有機性廃棄物は十分に制御され、直接排出されたために環境を汚染することはしなく、同時に本発明は固体有機性廃棄物と液体有機性廃棄物という二つの形態の有機性廃棄物を選別して分離させることができ、効果的にバイオトランスフォーメーションを行い、粉砕機構は固定有機性廃棄物を粉砕でき、顆粒を小さくなさせ、有機転化反応が起こりやすく、圧力かけ機構は転化された後の変成物をより良く収集でき、さらに使いやすいドア開け機構は、入れた有機性廃棄物が多くければ、ドアが開いている時間が長くなり、機構が伝動した後に押し出された転化酵素試薬が多くなり、装置全体は複数の機構が連動作動するのであり、効率が高く、コストが低い。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の家庭用の有機性廃棄物のバイオトランスフォーメーション装置の内部全体構造略図
【図２】図２は本発明の中のＡ―Ａ方向の部分構造略図
【図３】図３は本発明の中のＢ―Ｂ方向の部分構造略図
【図４】図４は本発明の中のＣの部分構造拡大略図
【図５】図５は本発明の中のＤの部分構造拡大略図
【発明を実施するための形態】
【００１６】
図１〜５を参照し、本発明の実施例の家庭用の有機性廃棄物のバイオトランスフォーメーション装置は、主体１１を含み、前記主体１１の中には輸送チャンバ１４が設置され、前記輸送チャンバ１４の下側には転化チャンバ２２が設置され、前記転化チャンバ２２が前記輸送チャンバ１４と連通でき、前記輸送チャンバ１４の右側には粉砕チャンバ７０が設置され、前記粉砕チャンバ７０と前記輸送チャンバ１４とが連通するように設置され、前記粉砕チャンバ７０の下側には圧力かけチャンバ３５が設置され、前記圧力かけチャンバ３５が前記粉砕チャンバ７０と連通でき、前記圧力かけチャンバ３５の左側には移動チャンバ２９が設置され、前記移動チャンバ２９の中には右方へ移動できる圧力かけ機構１０４が設置され、前記粉砕チャンバ７０の中には固体有機性廃棄物を粉砕できる粉砕機構１０３が設置され、前記輸送チャンバ１４の中には固体有機性廃棄物と液体有機性廃棄物とを選別して分離させることができる輸送機構１０２が設置され、前記輸送チャンバ１４の右壁には閉鎖されたチャンバを開けることができるドア開け機構１０１が設置され、前記輸送チャンバ１４の後側には伝動チャンバ３７が設置され、前記伝動チャンバ３７の中には伝動を制御する伝動機構１０５が設置され、前記伝動チャンバ３７の下側には動力チャンバ４９が設置され、前記動力チャンバ４９の中には動力を提供する動力機構１０６が設置されている。
【００１７】
前記ドア開け機構１０１は上げ板１２と、コンロッド１３と、ボルト２１とを含み、前記上げ板１２と前記輸送チャンバ１４の右壁とがヒンジで連結され、前記輸送チャンバ１４の右壁の中にはスライド溝２５が形成されており、前記ボルト２１が前記スライド溝２５の中にスライドできるように設置され、前記ボルト２１と前記上げ板１２との間が前記コンロッド１３によってヒンジで連結され、前記粉砕チャンバ７０の頂壁の中には押しチャンバ６４が設置され、前記押しチャンバ６４と前記スライド溝２５とが連通するように設置され、前記押しチャンバ６４の底壁には転化試薬キット６６が装着され、前記転化試薬キット６６の底端が前記粉砕チャンバ７０に連通しており、前記転化試薬キット６６の頂端には破片６５が当接しており、前記破片６５の右側末端と前記押しチャンバ６４の右壁とが固定的に連結され、前記破片６５が前記ボルト２１によって右方へ移動し、前記転化試薬キット６６に下方に押す力を提供することができ、それによって前記転化試薬キット６６に前記粉砕チャンバ７０に転化酵素試薬を滴下する。
【００１８】
前記輸送機構１０２は前記輸送チャンバ１４の後側壁に回転できるように設置された二つの伝動軸１７を含み、二つの前記伝動軸１７が左右対称的に設置され、二つの前記伝動軸１７の外周にはいずれもメッシュベルト輪１６が固定的に設置され、二つの前記メッシュベルト輪１６の間にはメッシュベルト１５が装着され、前記メッシュベルト輪１６の回転によって、前記メッシュベルト１５は伝動輸送の作用を果たすことができる。
【００１９】
左側の前記伝動軸１７の後方に伸びている部分が前記輸送チャンバ１４の後壁を貫通し、また前記伝動チャンバ３７の中に伸びており、左側に位置している前記伝動軸１７の後端には第一伝動輪３８が固定的に設置され、前記伝動チャンバ３７の後壁には第一従動軸３９が回転できるように設置され、前記第一従動軸３９の外周には第二伝動輪４０が固定的に設置され、前記第二伝動輪４０と前記第一伝動輪３８とが噛み合っており、前記伝動チャンバ３７の底壁には長軸４２が回転できるように設置され、前記長軸４２の頂端には第一ベベルギヤ４１が固定的に設置され、前記第一従動軸３９の前端には第二ベベルギヤ２６が固定的に設置され、前記第二ベベルギヤ２６と前記第一ベベルギヤ４１とが噛み合っており、前記長軸４２の外周には第一ギヤ４４が固定的に設置され、前記輸送チャンバ１４と前記転化チャンバ２２との間には仕切り板１８がスライドできるように設置され、前記仕切り板１８の後端は歯を持ち、且つ前記第一ギヤ４４と噛み合っており、前記長軸４２の回転によって、前記伝動軸１７を回転連動させることができ、それによって前記メッシュベルト１５に動力を伝達させ、また前記仕切り板１８を左方へ移動させることができ、前記輸送チャンバ１４と前記転化チャンバ２２とを連通させる。
【００２０】
前記転化チャンバ２２の左壁にはスライドロッド８０が固定的に設置され、前記転化チャンバ２２の左側内壁の中には試薬瓶２３が固定的に嵌められ、前記スライドロッド８０の外周には第一スライダ６９と第二スライダ６７とがスライドできるように設置され、前記第一スライダ６９が前記スライドロッド８０の下端と当接しており、前記第二スライダ６７が前記試薬瓶２３の右端と当接しており、前記第一スライダ６９と前記第二スライダ６７との間にはばね６８が装着され、前記転化チャンバ２２の下側が外部空間と連通するように設置され、且つ連通したところにはバルブ２４が固定的に設置され、前記転化チャンバ２２の中の液体が多くなると、前記第一スライダ６９を上昇させ、更に第二スライダ６７を上昇連動させ、それによって前記試薬瓶２３を開けて前記転化チャンバ２２の中に転化酵素試薬を加えることができる。
【００２１】
前記粉砕機構１０３は前記粉砕チャンバ７０の後壁に回転できるように設置された旋転軸２０を含み、前記旋転軸２０の外周には粉砕輪１９が固定的に設置され、前記旋転軸２０の後方に伸びている部分が前記伝動チャンバ３７の中に伸びており、また前記旋転軸２０の後方に伸びている部分の末端には第三ベベルギヤ８２が固定的に設置され、前記伝動チャンバ３７の底壁には第一スクリュー４５が回転できるように設置され、前記第一スクリュー４５の頂端には第四ベベルギヤ４３が固定的に設置され、前記第四ベベルギヤ４３と前記第三ベベルギヤ８２とが噛み合っており、前記第一スクリュー４５の外周には第一ベルトプーリ４６が固定的に設置され、前記第三ベベルギヤ８２の外周には第二ベルトプーリ４７が固定的に設置され、前記第二ベルトプーリ４７が前記第一ギヤ４４の下側に位置しており、前記第二ベルトプーリ４７と前記第一ベルトプーリ４６との間にはベルト４８が装着され、前記長軸４２の回転によって前記第一スクリュー４５を回転連動させることができ、更に前記粉砕輪１９を回転連動させ、粉砕する作用を果たす。
【００２２】
前記動力機構１０６はモーター５３を含み、前記モーター５３の左右両側には二つの対称的に設置された電磁石５４が固定的に設置され、前記動力チャンバ４９の左右両側端壁には二つの対称的に設置された磁石５６が固定的に設置され、前記モーター５３には第二ギヤ５１が動力が伝達できるように連結され、前記長軸４２の下方に伸びている部分が前記伝動チャンバ３７の底壁を貫通して前記動力チャンバ４９の中に伸びており、また前記長軸４２の下方に伸びている部分の末端には第三ギヤ５０が固定的に設置され、前記第三ギヤ５０が前記第二ギヤ５１と噛み合うことができ、前記動力チャンバ４９の下側には補助チャンバ５５が設置され、前記補助チャンバ５５と前記動力チャンバ４９との間の内壁には上下方向に伸びるように設置された第二従動軸５７が回転できるように設置され、前記第二従動軸５７の上方に伸びている部分の末端には第四ギヤ５２が固定的に設置され、前記第四ギヤ５２が前記第二ギヤ５１と噛み合うことができ、前記第二従動軸５７の下方に伸びている部分の末端には第三伝動輪５８が固定的に設置され、モーター５３が左右に移動することによって、それぞれ前記第二従動軸５７を回転連動させ又は前記長軸４２を回転連動させることができる。
【００２３】
前記圧力かけ機構１０４はプッシュ板３４と回収ドア３６とを含み、前記回収ドア３６がロックされ又は開けられることができ、前記プッシュ板３４が前記圧力かけチャンバ３５の中にスライドできるように設置され、前記回収ドア３６が前記主体１１の右端面に位置しており、前記プッシュ板３４の左端には第一ネジスリーブ３３が固定的に設置され、前記移動チャンバ２９の左壁には第二スクリュー３０が回転できるように設置され、前記第二スクリュー３０と前記第一ネジスリーブ３３とがネジ山によって連結され、前記第二スクリュー３０の外周には第五ベベルギヤが固定的に設置され、前記移動チャンバ２９と前記補助チャンバ５５との間の内壁には前後方向に伸びるように設置された第一短軸６０が回転できるように設置され、前記第一短軸６０の前方に伸びている部分の末端には第六ベベルギヤ３２が固定的に設置され、前記第六ベベルギヤ３２と前記第五ベベルギヤ３１とが噛み合っており、前記第一短軸６０の後方に伸びている部分の末端には第四伝動輪５９が固定的に設置され、前記第四伝動輪５９と前記第三伝動輪５８とが噛み合っており、前記第二従動軸５７の回転によって、前記第二スクリュー３０を回転させることができ、更に前記プッシュ板３４に右方へ押させる。
【００２４】
前記補助チャンバ５５の後壁には二つの左右対称の第二短軸２７が回転できるように設置され、二つの前記第二短軸２７の外周にはいずれもリール７２が固定的に設置され、前記リール７２の前端には前記リール７２を復帰させるトーションばね７７が固定的に設置され、前記第一スクリュー４５の下方に伸びている部分が前記補助チャンバ５５の上壁を貫通し、且つ前記補助チャンバ５５の中に伸びており、また前記第一スクリュー４５の下方に伸びている部分の末端の外周には第二ネジスリーブ６１がネジ山によって連結され、二つの前記リール７２と前記第二ネジスリーブ６１との間がいずれも鋼線７１によって連結され、前記鋼線７１が前記第二ネジスリーブ６１の底端と当接しており、二つの前記第二短軸２７の前方に伸びている部分が前記粉砕チャンバ７０の後壁を貫通して前記粉砕チャンバ７０の中に伸びており、また二つの前記第二短軸２７の前方に伸びている部分の末端にはいずれも密封板２８が固定的に設置され、前記第一スクリュー４５の回転によって前記第二ネジスリーブ６１が回転でき、更に前記リール７２を回転連動させ、それによって前記密封板２８が回転して開けられ、前記粉砕チャンバ７０が前記圧力かけチャンバ３５と連通するように設置されることができる。
【００２５】
使用の時、転化する押しボタンを押し、モーター５３が右方へ移動し、第二ギヤ５１と第三ギヤ５０とが噛み合い、長軸を回転させ、それによって第一ギヤ４４が回転して仕切り板１８を開け、輸送チャンバ１４と転化チャンバ２２とを連通させ、長軸４２が回転して第一従動軸３９を連動させ、それによって伝動軸１７が回転し、更にメッシュベルト１５に動力を伝達させて作動し、長軸４２が回転してベルト４８に動力を伝達させ、それによって第一スクリュー４５が回転し、更に旋転軸２０を回転させて粉砕輪１９を回転連動させ、第一スクリュー４５が回転して第二ネジスリーブ６１を上方へ移動連動させて密封板２８を閉じ、この時、上げ板１２を開けて有機性廃棄物を入れ、上げ板１２が開いている時間が長ければ、転化試薬キット６６が押し出した転化酵素試薬が多くなり、転化し終わった後、モーター５３が逆方向に回転し、密封板２８を開け、変成物を圧力かけチャンバ３５の中に落とし、モーター５３が左方へ移動し、第四ギヤ５２と第二ギヤ５１とを噛み合わせ、それによって第二従動軸５７が回転し、更に第一短軸６０を回転させ、第二スクリュー３０を回転させ、それによって第一ネジスリーブ３３が右方へ移動し、それによってプッシュ板３４が右方へ変成物に圧力をかけ、回収ドア３６を開けて変成物を回収し、同時に試薬瓶２３の中の転化酵素試薬が転化チャンバ２２の中に落ちた液体有機性廃棄物を変成物に転化でき、しばらくしてバルブ２４を開けて変成物を収集する。
【００２６】
本発明の有益な効果は：本発明によって家庭に生み出された有機性廃棄物を効果的に利用でき、更に人のゴミ分別への意識を高め、得た変成物は有機性肥料として花又は農作物などに施され、助燃剤として使われることもでき、また一部の毒のある有機性廃棄物は十分に制御され、直接排出されたために環境を汚染することはしなく、同時に本発明は固体有機性廃棄物と液体有機性廃棄物という二つの形態の有機性廃棄物を選別して分離させることができ、効果的にバイオトランスフォーメーションを行い、粉砕機構は固定有機性廃棄物を粉砕でき、顆粒を小さくなさせ、有機転化反応が起こりやすく、圧力かけ機構は転化された後の変成物をより良く収集でき、さらに使いやすいドア開け機構は、入れた有機性廃棄物が多くければ、ドアが開いている時間が長くなり、機構が伝動した後に押し出された転化酵素試薬が多くなり、装置全体は複数の機構が連動作動するのであり、効率が高く、コストが低い。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020195990.tif 000003
【図２】
2020195990.tif 000004
【図３】
2020195990.tif 000005
【図４】
2020195990.tif 000006
【図５】
2020195990.tif 000007
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
正面視で、主体を含み、
前記主体の中には輸送チャンバが設置され、前記輸送チャンバの下側には転化チャンバが設置され、前記転化チャンバが前記輸送チャンバと連通でき、前記輸送チャンバの右側には粉砕チャンバが設置され、前記粉砕チャンバと前記輸送チャンバとが連通するように設置され、前記粉砕チャンバの下側には圧力かけチャンバが設置され、前記圧力かけチャンバが前記粉砕チャンバと連通でき、
前記圧力かけチャンバの左側には移動チャンバが設置され、前記移動チャンバの中には、自体が右方へ移動できる圧力かけ機構が設置され、前記粉砕チャンバの中には固体有機性廃棄物を粉砕できる粉砕機構が設置され、前記輸送チャンバの中には輸送機構が設置され、前記輸送チャンバの右壁には閉鎖されたチャンバを開けることができるドア開け機構が設置され、前記輸送チャンバの後側には伝動チャンバが設置され、前記伝動チャンバの中には伝動を制御する伝動機構が設置され、前記伝動チャンバの下側には動力チャンバが設置され、前記動力チャンバの中には動力を提供する動力機構が設置され、
前記ドア開け機構は上げ板と、コンロッドと、ボルトとを含み、前記上げ板と前記輸送チャンバの右壁とがヒンジで連結され、前記輸送チャンバの右壁の中にはスライド溝が形成されており、前記ボルトが前記スライド溝の中にスライドできるように設置され、前記ボルトと前記上げ板との間が前記コンロッドによってヒンジで連結され、前記粉砕チャンバの頂壁の中には押しチャンバが設置され、前記押しチャンバと前記スライド溝とが連通するように設置され、前記押しチャンバの底壁には転化試薬キットが装着され、前記転化試薬キットの底端が前記粉砕チャンバに連通しており、前記転化試薬キットの頂端には破片が当接しており、前記破片の右側末端と前記押しチャンバの右壁とが固定的に連結され、前記破片の左側末端と前記ボルトとが固定的に連結され、前記破片が前記ボルトによって右方へ移動し、前記転化試薬キットに下方に押す力を提供することができ、それによって前記転化試薬キットに前記粉砕チャンバに転化酵素試薬を滴下することを特徴とする記載の家庭用の有機性廃棄物のバイオトランスフォーメーション装置。
【請求項２】
前記輸送機構は前記輸送チャンバの後側壁に回転できるように設置された二つの伝動軸を含み、二つの前記伝動軸が左右対称的に設置され、二つの前記伝動軸の外周にはいずれもメッシュベルト輪が固定的に設置され、二つの前記メッシュベルト輪の間にはメッシュベルトが装着されていることを特徴とする請求項１に記載の家庭用の有機性廃棄物のバイオトランスフォーメーション装置。
【請求項３】
左側の前記伝動軸の後方に伸びている部分が前記輸送チャンバの後壁を貫通し、また前記伝動チャンバの中に伸びており、左側に位置している前記伝動軸の後端には第一伝動輪が固定的に設置され、前記伝動チャンバの後壁には第一従動軸が回転できるように設置され、前記第一従動軸の外周には第二伝動輪が固定的に設置され、前記第二伝動輪と前記第一伝動輪とが噛み合っており、前記伝動チャンバの底壁には長軸が回転できるように設置され、前記長軸の頂端には第一ベベルギヤが固定的に設置され、前記第一従動軸の前端には第二ベベルギヤが固定的に設置され、前記第二ベベルギヤと前記第一ベベルギヤとが噛み合っており、前記長軸の外周には第一ギヤが固定的に設置され、前記輸送チャンバと前記転化チャンバとの間には仕切り板がスライドできるように設置され、前記仕切り板の後端は歯を持ち、且つ前記第一ギヤと噛み合っていることを特徴とする請求項２に記載の家庭用の有機性廃棄物のバイオトランスフォーメーション装置。
【請求項４】
前記転化チャンバの左壁にはスライドロッドが固定的に設置され、前記転化チャンバの左側内壁の中には試薬瓶が固定的に嵌められ、前記スライドロッドの外周には第一スライダと第二スライダとがスライドできるように設置され、前記第一スライダが前記スライドロッドの下端と当接しており、前記第二スライダが前記試薬瓶の右端と当接しており、前記第一スライダと前記第二スライダとの間にはばねが装着され、前記転化チャンバの下側が外部空間と連通するように設置され、且つ連通したところにはバルブが固定的に設置され、前記転化チャンバの中の液体が多くなると、前記第一スライダを上昇させ、更に第二スライダを上昇連動させ、それによって前記試薬瓶を開けて前記転化チャンバの中に転化酵素試薬を加えることができることを特徴とする請求項３に記載の家庭用の有機性廃棄物のバイオトランスフォーメーション装置。
【請求項５】
前記粉砕機構は前記粉砕チャンバの後壁に回転できるように設置された旋転軸を含み、前記旋転軸の外周には粉砕輪が固定的に設置され、前記旋転軸の後方に伸びている部分が前記伝動チャンバの中に伸びており、また前記旋転軸の後方に伸びている部分の末端には第三ベベルギヤが固定的に設置され、前記伝動チャンバの底壁には第一スクリューが回転できるように設置され、前記第一スクリューの頂端には第四ベベルギヤが固定的に設置され、前記第四ベベルギヤと前記第三ベベルギヤとが噛み合っており、前記第一スクリューの外周には第一ベルトプーリが固定的に設置され、前記長軸の外周には第二ベルトプーリが固定的に設置され、前記第二ベルトプーリが前記第一ギヤの下側に位置しており、前記第二ベルトプーリと前記第一ベルトプーリとの間にはベルトが装着されていることを特徴とする請求項４に記載の家庭用の有機性廃棄物のバイオトランスフォーメーション装置。
【請求項６】
前記動力機構はモーターを含み、前記モーターの左右両側には二つの対称的に設置された電磁石が固定的に設置され、前記動力チャンバの左右両側端壁には二つの対称的に設置された磁石が固定的に設置され、前記モーターには第二ギヤが動力が伝達できるように連結され、前記長軸の下方に伸びている部分が前記伝動チャンバの底壁を貫通して前記動力チャンバの中に伸びており、また前記長軸の下方に伸びている部分の末端には第三ギヤが固定的に設置され、前記第三ギヤが前記第二ギヤと噛み合うことができ、前記動力チャンバの下側には補助チャンバが設置され、前記補助チャンバと前記動力チャンバとの間の内壁には上下方向に伸びるように設置された第二従動軸が回転できるように設置され、前記第二従動軸の上方に伸びている部分の末端には第四ギヤが固定的に設置され、前記第四ギヤが前記第二ギヤと噛み合うことができ、前記第二従動軸の下方に伸びている部分の末端には第三伝動輪が固定的に設置されていることを特徴とする請求項５に記載の家庭用の有機性廃棄物のバイオトランスフォーメーション装置。
【請求項７】
前記圧力かけ機構はプッシュ板と回収ドアとを含み、前記回収ドアがロックされ又は開けられることができ、前記プッシュ板が前記圧力かけチャンバの中にスライドできるように設置され、前記回収ドアが前記主体の右端面に位置しており、前記プッシュ板の左端には第一ネジスリーブが固定的に設置され、前記移動チャンバの左壁には第二スクリューが回転できるように設置され、前記第二スクリューと前記第一ネジスリーブとがネジ山によって連結され、前記第二スクリューの外周には第五ベベルギヤが固定的に設置され、前記移動チャンバと前記補助チャンバとの間の内壁には前後方向に伸びるように設置された第一短軸が回転できるように設置され、前記第一短軸の前方に伸びている部分の末端には第六ベベルギヤが固定的に設置され、前記第六ベベルギヤと前記第五ベベルギヤとが噛み合っており、前記第一短軸の後方に伸びている部分の末端には第四伝動輪が固定的に設置され、前記第四伝動輪と前記第三伝動輪とが噛み合っていることを特徴とする請求項６に記載の家庭用の有機性廃棄物のバイオトランスフォーメーション装置。
【手続補正２】
【補正対象書類名】明細書
【補正対象項目名】全文
【補正方法】変更
【補正の内容】
【発明の詳細な説明】
【技術分野】
【０００１】
本発明はバイオトランスフォーメーション技術分野に関わり、具体的には家庭用の有機性廃棄物のバイオトランスフォーメーション装置である。
【背景技術】
【０００２】
バイオトランスフォーメーションとは毒物が酵素の触媒作用によると毒物の化学構造が変わる代謝過程であり、家には有機性廃棄物があったら、一般的にゴミと一緒に直接捨てられ、こうしてゴミ分別の理念と符合しなくなり、二次汚染が発生しやすく、しかしこういう有機性廃棄物にバイオトランスフォーメーションの処理を行うと、得た変成物は二次利用されることができ、肥料又は助燃剤として使われることができ、環境を汚染する可能性を大に下げ、従って、家庭用の有機性廃棄物のバイオトランスフォーメーション装置をデザインする必要があり、家庭に生み出された有機性廃棄物が環境を汚染することはしなく、有機性廃棄物がより効果的に利用されることができる。
【先行技術文献】
【特許文献】
【０００３】
【特許文献１】中国特許出願公開第１９３８４０５号明細書
【発明の概要】
【発明が解決しようとする課題】
【０００４】
本発明は家庭用の有機性廃棄物のバイオトランスフォーメーション装置を提供し、既存技術にある上記の欠点を解消することを目的とする。
【課題を解決するための手段】
【０００５】
本発明の実施例の家庭用の有機性廃棄物のバイオトランスフォーメーション装置は、主体を含み、前記主体の中には輸送チャンバが設置され、前記輸送チャンバの下側には転化チャンバが設置され、前記転化チャンバが前記輸送チャンバと連通でき、前記輸送チャンバの右側には粉砕チャンバが設置され、前記粉砕チャンバと前記輸送チャンバとが連通するように設置され、前記粉砕チャンバの下側には圧力かけチャンバが設置され、前記圧力かけチャンバが前記粉砕チャンバと連通でき、前記圧力かけチャンバの左側には移動チャンバが設置され、前記移動チャンバの中には、自体が右方へ移動できる圧力かけ機構が設置され、前記粉砕チャンバの中には固体有機性廃棄物を粉砕できる粉砕機構が設置され、前記輸送チャンバの中には輸送機構が設置され、前記輸送チャンバの右壁には閉鎖されたチャンバを開けることができるドア開け機構が設置され、前記輸送チャンバの後側には伝動チャンバが設置され、前記伝動チャンバの中には伝動を制御する伝動機構が設置され、前記伝動チャンバの下側には動力チャンバが設置され、前記動力チャンバの中には動力を提供する動力機構が設置されている。
【０００６】
さらなる技術プランには、前記ドア開け機構は上げ板と、コンロッドと、ボルトとを含み、前記上げ板と前記輸送チャンバの右壁とがヒンジで連結され、前記輸送チャンバの右壁の中にはスライド溝が形成されており、前記ボルトが前記スライド溝の中にスライドできるように設置され、前記ボルトと前記上げ板との間が前記コンロッドによってヒンジで連結され、前記粉砕チャンバの頂壁の中には押しチャンバが設置され、前記押しチャンバと前記スライド溝とが連通するように設置され、前記押しチャンバの底壁には転化試薬キットが装着され、前記転化試薬キットの底端が前記粉砕チャンバに連通しており、前記転化試薬キットの頂端には破片が当接しており、前記破片の右側末端と前記押しチャンバの右壁とが固定的に連結され、前記破片の左側末端と前記ボルトとが固定的に連結されている。
【０００７】
さらなる技術プランには、前記輸送機構は前記輸送チャンバの後側壁に回転できるように設置された二つの伝動軸を含み、二つの前記伝動軸が左右対称的に設置され、二つの前記伝動軸の外周にはいずれもメッシュベルト輪が固定的に設置され、二つの前記メッシュベルト輪の間にはメッシュベルトが装着されている。
【０００８】
さらなる技術プランには、左側の前記伝動軸の後方に伸びている部分が前記輸送チャンバの後壁を貫通し、また前記伝動チャンバの中に伸びており、左側に位置している前記伝動軸の後端には第一伝動輪が固定的に設置され、前記伝動チャンバの後壁には第一従動軸が回転できるように設置され、前記第一従動軸の外周には第二伝動輪が固定的に設置され、前記第二伝動輪と前記第一伝動輪とが噛み合っており、前記伝動チャンバの底壁には長軸が回転できるように設置され、前記長軸の頂端には第一ベベルギヤが固定的に設置され、前記第一従動軸の前端には第二ベベルギヤが固定的に設置され、前記第二ベベルギヤと前記第一ベベルギヤとが噛み合っており、前記長軸の外周には第一ギヤが固定的に設置され、前記輸送チャンバと前記転化チャンバとの間には仕切り板がスライドできるように設置され、前記仕切り板の後端は歯を持ち、且つ前記第一ギヤと噛み合っている。
【０００９】
さらなる技術プランには、前記転化チャンバの左壁にはスライドロッドが固定的に設置され、前記転化チャンバの左側内壁の中には試薬瓶が固定的に嵌められ、前記スライドロッドの外周には第一スライダと第二スライダとがスライドできるように設置され、前記第一スライダが前記スライドロッドの下端と当接しており、前記第二スライダが前記試薬瓶の右端と当接しており、前記第一スライダと前記第二スライダとの間にはばねが装着され、前記転化チャンバの下側が外部空間と連通するように設置され、且つ連通したところにはバルブが固定的に設置されている。
【００１０】
さらなる技術プランには、前記粉砕機構は前記粉砕チャンバの後壁に回転できるように設置された旋転軸を含み、前記旋転軸の外周には粉砕輪が固定的に設置され、前記旋転軸の後方に伸びている部分が前記伝動チャンバの中に伸びており、また前記旋転軸の後方に伸びている部分の末端には第三ベベルギヤが固定的に設置され、前記伝動チャンバの底壁には第一スクリューが回転できるように設置され、前記第一スクリューの頂端には第四ベベルギヤが固定的に設置され、前記第四ベベルギヤと前記第三ベベルギヤとが噛み合っており、前記第一スクリューの外周には第一ベルトプーリが固定的に設置され、前記長軸の外周には第二ベルトプーリが固定的に設置され、前記第二ベルトプーリが前記第一ギヤの下側に位置しており、前記第二ベルトプーリと前記第一ベルトプーリとの間にはベルトが装着されている。
【００１１】
さらなる技術プランには、前記動力機構はモーターを含み、前記モーターの左右両側には二つの対称的に設置された電磁石が固定的に設置され、前記動力チャンバの左右両側端壁には二つの対称的に設置された磁石が固定的に設置され、前記モーターには第二ギヤが動力が伝達できるように連結され、前記長軸の下方に伸びている部分が前記伝動チャンバの底壁を貫通して前記動力チャンバの中に伸びており、また前記長軸の下方に伸びている部分の末端には第三ギヤが固定的に設置され、前記第三ギヤが前記第二ギヤと噛み合うことができ、前記動力チャンバの下側には補助チャンバが設置され、前記補助チャンバと前記動力チャンバとの間の内壁には上下方向に伸びるように設置された第二従動軸が回転できるように設置され、前記第二従動軸の上方に伸びている部分の末端には第四ギヤが固定的に設置され、前記第四ギヤが前記第二ギヤと噛み合うことができ、前記第二従動軸の下方に伸びている部分の末端には第三伝動輪が固定的に設置されている。
【００１２】
さらなる技術プランには、前記圧力かけ機構はプッシュ板と回収ドアとを含み、前記回収ドアがロックされ又は開けられることができ、前記プッシュ板が前記圧力かけチャンバの中にスライドできるように設置され、前記回収ドアが前記主体の右端面に位置しており、前記プッシュ板の左端には第一ネジスリーブが固定的に設置され、前記移動チャンバの左壁には第二スクリューが回転できるように設置され、前記第二スクリューと前記第一ネジスリーブとがネジ山によって連結され、前記第二スクリューの外周には第五ベベルギヤが固定的に設置され、前記移動チャンバと前記補助チャンバとの間の内壁には前後方向に伸びるように設置された第一短軸が回転できるように設置され、前記第一短軸の前方に伸びている部分の末端には第六ベベルギヤが固定的に設置され、前記第六ベベルギヤと前記第五ベベルギヤとが噛み合っており、前記第一短軸の後方に伸びている部分の末端には第四伝動輪が固定的に設置され、前記第四伝動輪と前記第三伝動輪とが噛み合っている。
【発明の効果】
【００１３】
本発明の有益な効果は：本発明によって家庭に生み出された有機性廃棄物を効果的に利用でき、更に人のゴミ分別への意識を高め、得た変成物は有機性肥料として花又は農作物などに施され、助燃剤として使われることもでき、また一部の毒のある有機性廃棄物は十分に制御され、直接排出されたために環境を汚染することはしなく、同時に本発明は固体有機性廃棄物と液体有機性廃棄物という二つの形態の有機性廃棄物を選別して分離させることができ、効果的にバイオトランスフォーメーションを行い、粉砕機構は固定有機性廃棄物を粉砕でき、顆粒を小さくなさせ、有機転化反応が起こりやすく、圧力かけ機構は転化された後の変成物をより良く収集でき、さらに使いやすいドア開け機構は、入れた有機性廃棄物が多くければ、ドアが開いている時間が長くなり、機構が伝動した後に押し出された転化酵素試薬が多くなり、装置全体は複数の機構が連動作動するのであり、効率が高く、コストが低い。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の家庭用の有機性廃棄物のバイオトランスフォーメーション装置の内部全体構造略図
【図２】図２は本発明の中のＡ―Ａ方向の部分構造略図
【図３】図３は本発明の中のＢ―Ｂ方向の部分構造略図
【図４】図４は本発明の中のＣの部分構造拡大略図
【図５】図５は本発明の中のＤの部分構造拡大略図
【発明を実施するための形態】
【００１６】
図１〜５を参照し、本発明の実施例の家庭用の有機性廃棄物のバイオトランスフォーメーション装置は、主体１１を含み、前記主体１１の中には輸送チャンバ１４が設置され、前記輸送チャンバ１４の下側には転化チャンバ２２が設置され、前記転化チャンバ２２が前記輸送チャンバ１４と連通でき、前記輸送チャンバ１４の右側には粉砕チャンバ７０が設置され、前記粉砕チャンバ７０と前記輸送チャンバ１４とが連通するように設置され、前記粉砕チャンバ７０の下側には圧力かけチャンバ３５が設置され、前記圧力かけチャンバ３５が前記粉砕チャンバ７０と連通でき、前記圧力かけチャンバ３５の左側には移動チャンバ２９が設置され、前記移動チャンバ２９の中には、自体が右方へ移動できる圧力かけ機構１０４が設置され、前記粉砕チャンバ７０の中には固体有機性廃棄物を粉砕できる粉砕機構１０３が設置され、前記輸送チャンバ１４の中には輸送機構１０２が設置され、前記輸送チャンバ１４の右壁には閉鎖されたチャンバを開けることができるドア開け機構１０１が設置され、前記輸送チャンバ１４の後側には伝動チャンバ３７が設置され、前記伝動チャンバ３７の中には伝動を制御する伝動機構１０５が設置され、前記伝動チャンバ３７の下側には動力チャンバ４９が設置され、前記動力チャンバ４９の中には動力を提供する動力機構１０６が設置されている。
【００１７】
前記ドア開け機構１０１は上げ板１２と、コンロッド１３と、ボルト２１とを含み、前記上げ板１２と前記輸送チャンバ１４の右壁とがヒンジで連結され、前記輸送チャンバ１４の右壁の中にはスライド溝２５が形成されており、前記ボルト２１が前記スライド溝２５の中にスライドできるように設置され、前記ボルト２１と前記上げ板１２との間が前記コンロッド１３によってヒンジで連結され、前記粉砕チャンバ７０の頂壁の中には押しチャンバ６４が設置され、前記押しチャンバ６４と前記スライド溝２５とが連通するように設置され、前記押しチャンバ６４の底壁には転化試薬キット６６が装着され、前記転化試薬キット６６の底端が前記粉砕チャンバ７０に連通しており、前記転化試薬キット６６の頂端には破片６５が当接しており、前記破片６５の右側末端と前記押しチャンバ６４の右壁とが固定的に連結され、前記破片６５が前記ボルト２１によって右方へ移動し、前記転化試薬キット６６に下方に押す力を提供することができ、それによって前記転化試薬キット６６に前記粉砕チャンバ７０に転化酵素試薬を滴下する。
【００１８】
前記輸送機構１０２は前記輸送チャンバ１４の後側壁に回転できるように設置された二つの伝動軸１７を含み、二つの前記伝動軸１７が左右対称的に設置され、二つの前記伝動軸１７の外周にはいずれもメッシュベルト輪１６が固定的に設置され、二つの前記メッシュベルト輪１６の間にはメッシュベルト１５が装着され、前記メッシュベルト輪１６の回転によって、前記メッシュベルト１５は伝動輸送の作用を果たすことができる。
【００１９】
左側の前記伝動軸１７の後方に伸びている部分が前記輸送チャンバ１４の後壁を貫通し、また前記伝動チャンバ３７の中に伸びており、左側に位置している前記伝動軸１７の後端には第一伝動輪３８が固定的に設置され、前記伝動チャンバ３７の後壁には第一従動軸３９が回転できるように設置され、前記第一従動軸３９の外周には第二伝動輪４０が固定的に設置され、前記第二伝動輪４０と前記第一伝動輪３８とが噛み合っており、前記伝動チャンバ３７の底壁には長軸４２が回転できるように設置され、前記長軸４２の頂端には第一ベベルギヤ４１が固定的に設置され、前記第一従動軸３９の前端には第二ベベルギヤ２６が固定的に設置され、前記第二ベベルギヤ２６と前記第一ベベルギヤ４１とが噛み合っており、前記長軸４２の外周には第一ギヤ４４が固定的に設置され、前記輸送チャンバ１４と前記転化チャンバ２２との間には仕切り板１８がスライドできるように設置され、前記仕切り板１８の後端は歯を持ち、且つ前記第一ギヤ４４と噛み合っており、前記長軸４２の回転によって、前記伝動軸１７を回転連動させることができ、それによって前記メッシュベルト１５に動力を伝達させ、また前記仕切り板１８を左方へ移動させることができ、前記輸送チャンバ１４と前記転化チャンバ２２とを連通させる。
【００２０】
前記転化チャンバ２２の左壁にはスライドロッド８０が固定的に設置され、前記転化チャンバ２２の左側内壁の中には試薬瓶２３が固定的に嵌められ、前記スライドロッド８０の外周には第一スライダ６９と第二スライダ６７とがスライドできるように設置され、前記第一スライダ６９が前記スライドロッド８０の下端と当接しており、前記第二スライダ６７が前記試薬瓶２３の右端と当接しており、前記第一スライダ６９と前記第二スライダ６７との間にはばね６８が装着され、前記転化チャンバ２２の下側が外部空間と連通するように設置され、且つ連通したところにはバルブ２４が固定的に設置され、前記転化チャンバ２２の中の液体が多くなると、前記第一スライダ６９を上昇させ、更に第二スライダ６７を上昇連動させ、それによって前記試薬瓶２３を開けて前記転化チャンバ２２の中に転化酵素試薬を加えることができる。
【００２１】
前記粉砕機構１０３は前記粉砕チャンバ７０の後壁に回転できるように設置された旋転軸２０を含み、前記旋転軸２０の外周には粉砕輪１９が固定的に設置され、前記旋転軸２０の後方に伸びている部分が前記伝動チャンバ３７の中に伸びており、また前記旋転軸２０の後方に伸びている部分の末端には第三ベベルギヤ８２が固定的に設置され、前記伝動チャンバ３７の底壁には第一スクリュー４５が回転できるように設置され、前記第一スクリュー４５の頂端には第四ベベルギヤ４３が固定的に設置され、前記第四ベベルギヤ４３と前記第三ベベルギヤ８２とが噛み合っており、前記第一スクリュー４５の外周には第一ベルトプーリ４６が固定的に設置され、前記長軸４２の外周には第二ベルトプーリ４７が固定的に設置され、前記第二ベルトプーリ４７が前記第一ギヤ４４の下側に位置しており、前記第二ベルトプーリ４７と前記第一ベルトプーリ４６との間にはベルト４８が装着され、前記長軸４２の回転によって前記第一スクリュー４５を回転連動させることができ、更に前記粉砕輪１９を回転連動させ、粉砕する作用を果たす。
【００２２】
前記動力機構１０６はモーター５３を含み、前記モーター５３の左右両側には二つの対称的に設置された電磁石５４が固定的に設置され、前記動力チャンバ４９の左右両側端壁には二つの対称的に設置された磁石５６が固定的に設置され、前記モーター５３には第二ギヤ５１が動力が伝達できるように連結され、前記長軸４２の下方に伸びている部分が前記伝動チャンバ３７の底壁を貫通して前記動力チャンバ４９の中に伸びており、また前記長軸４２の下方に伸びている部分の末端には第三ギヤ５０が固定的に設置され、前記第三ギヤ５０が前記第二ギヤ５１と噛み合うことができ、前記動力チャンバ４９の下側には補助チャンバ５５が設置され、前記補助チャンバ５５と前記動力チャンバ４９との間の内壁には上下方向に伸びるように設置された第二従動軸５７が回転できるように設置され、前記第二従動軸５７の上方に伸びている部分の末端には第四ギヤ５２が固定的に設置され、前記第四ギヤ５２が前記第二ギヤ５１と噛み合うことができ、前記第二従動軸５７の下方に伸びている部分の末端には第三伝動輪５８が固定的に設置され、モーター５３が左右に移動することによって、それぞれ前記第二従動軸５７を回転連動させ又は前記長軸４２を回転連動させることができる。
【００２３】
前記圧力かけ機構１０４はプッシュ板３４と回収ドア３６とを含み、前記回収ドア３６がロックされ又は開けられることができ、前記プッシュ板３４が前記圧力かけチャンバ３５の中にスライドできるように設置され、前記回収ドア３６が前記主体１１の右端面に位置しており、前記プッシュ板３４の左端には第一ネジスリーブ３３が固定的に設置され、前記移動チャンバ２９の左壁には第二スクリュー３０が回転できるように設置され、前記第二スクリュー３０と前記第一ネジスリーブ３３とがネジ山によって連結され、前記第二スクリュー３０の外周には第五ベベルギヤが固定的に設置され、前記移動チャンバ２９と前記補助チャンバ５５との間の内壁には前後方向に伸びるように設置された第一短軸６０が回転できるように設置され、前記第一短軸６０の前方に伸びている部分の末端には第六ベベルギヤ３２が固定的に設置され、前記第六ベベルギヤ３２と前記第五ベベルギヤ３１とが噛み合っており、前記第一短軸６０の後方に伸びている部分の末端には第四伝動輪５９が固定的に設置され、前記第四伝動輪５９と前記第三伝動輪５８とが噛み合っており、前記第二従動軸５７の回転によって、前記第二スクリュー３０を回転させることができ、更に前記プッシュ板３４に右方へ押させる。
【００２４】
前記補助チャンバ５５の後壁には二つの左右対称の第二短軸２７が回転できるように設置され、二つの前記第二短軸２７の外周にはいずれもリール７２が固定的に設置され、前記リール７２の前端には前記リール７２を復帰させるトーションばね７７が固定的に設置され、前記第一スクリュー４５の下方に伸びている部分が前記補助チャンバ５５の上壁を貫通し、且つ前記補助チャンバ５５の中に伸びており、また前記第一スクリュー４５の下方に伸びている部分の末端の外周には第二ネジスリーブ６１がネジ山によって連結され、二つの前記リール７２と前記第二ネジスリーブ６１との間がいずれも鋼線７１によって連結され、前記鋼線７１が前記第二ネジスリーブ６１の底端と当接しており、二つの前記第二短軸２７の前方に伸びている部分が前記粉砕チャンバ７０の後壁を貫通して前記粉砕チャンバ７０の中に伸びており、また二つの前記第二短軸２７の前方に伸びている部分の末端にはいずれも密封板２８が固定的に設置され、前記第一スクリュー４５の回転によって前記第二ネジスリーブ６１が回転でき、更に前記リール７２を回転連動させ、それによって前記密封板２８が回転して開けられ、前記粉砕チャンバ７０が前記圧力かけチャンバ３５と連通するように設置されることができる。
【００２５】
使用の時、転化する押しボタンを押し、モーター５３が右方へ移動し、第二ギヤ５１と第三ギヤ５０とが噛み合い、長軸を回転させ、それによって第一ギヤ４４が回転して仕切り板１８を開け、輸送チャンバ１４と転化チャンバ２２とを連通させ、長軸４２が回転して第一従動軸３９を連動させ、それによって伝動軸１７が回転し、更にメッシュベルト１５に動力を伝達させて作動し、長軸４２が回転してベルト４８に動力を伝達させ、それによって第一スクリュー４５が回転し、更に旋転軸２０を回転させて粉砕輪１９を回転連動させ、第一スクリュー４５が回転して第二ネジスリーブ６１を上方へ移動連動させて密封板２８を閉じ、この時、上げ板１２を開けて有機性廃棄物を入れ、上げ板１２が開いている時間が長ければ、転化試薬キット６６が押し出した転化酵素試薬が多くなり、転化し終わった後、モーター５３が逆方向に回転し、密封板２８を開け、変成物を圧力かけチャンバ３５の中に落とし、モーター５３が左方へ移動し、第四ギヤ５２と第二ギヤ５１とを噛み合わせ、それによって第二従動軸５７が回転し、更に第一短軸６０を回転させ、第二スクリュー３０を回転させ、それによって第一ネジスリーブ３３が右方へ移動し、それによってプッシュ板３４が右方へ変成物に圧力をかけ、回収ドア３６を開けて変成物を回収し、同時に試薬瓶２３の中の転化酵素試薬が転化チャンバ２２の中に落ちた液体有機性廃棄物を変成物に転化でき、しばらくしてバルブ２４を開けて変成物を収集する。
【００２６】
本発明の有益な効果は：本発明によって家庭に生み出された有機性廃棄物を効果的に利用でき、更に人のゴミ分別への意識を高め、得た変成物は有機性肥料として花又は農作物などに施され、助燃剤として使われることもでき、また一部の毒のある有機性廃棄物は十分に制御され、直接排出されたために環境を汚染することはしなく、同時に本発明は固体有機性廃棄物と液体有機性廃棄物という二つの形態の有機性廃棄物を選別して分離させることができ、効果的にバイオトランスフォーメーションを行い、粉砕機構は固定有機性廃棄
物を粉砕でき、顆粒を小さくなさせ、有機転化反応が起こりやすく、圧力かけ機構は転化された後の変成物をより良く収集でき、さらに使いやすいドア開け機構は、入れた有機性廃棄物が多くければ、ドアが開いている時間が長くなり、機構が伝動した後に押し出された転化酵素試薬が多くなり、装置全体は複数の機構が連動作動するのであり、効率が高く、コストが低い。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年4月28日(2020.4.28)
【手続補正１】
【補正対象書類名】特許請求の範囲
【補正対象項目名】請求項１
【補正方法】変更
【補正の内容】
【請求項１】
正面視で、主体を含み、
前記主体の中には輸送チャンバが設置され、前記輸送チャンバの下側には転化チャンバが設置され、前記転化チャンバが前記輸送チャンバと連通でき、前記輸送チャンバの右側には粉砕チャンバが設置され、前記粉砕チャンバと前記輸送チャンバとが連通するように設置され、前記粉砕チャンバの下側には圧力かけチャンバが設置され、前記圧力かけチャンバが前記粉砕チャンバと連通でき、
前記圧力かけチャンバの左側には移動チャンバが設置され、前記移動チャンバの中には、自体が右方へ移動できる圧力かけ機構が設置され、前記粉砕チャンバの中には固体有機性廃棄物を粉砕できる粉砕機構が設置され、前記輸送チャンバの中には輸送機構が設置され、前記輸送チャンバの右壁には閉鎖されたチャンバを開けることができるドア開け機構が設置され、前記輸送チャンバの後側には伝動チャンバが設置され、前記伝動チャンバの中には伝動を制御する伝動機構が設置され、前記伝動チャンバの下側には動力チャンバが設置され、前記動力チャンバの中には動力を提供する動力機構が設置され、
前記ドア開け機構は上げ板と、コンロッドと、プラグとを含み、前記上げ板と前記輸送チャンバの右壁とがヒンジで連結され、前記輸送チャンバの右壁の中にはスライド溝が形成されており、前記プラグが前記スライド溝の中にスライドできるように設置され、前記プラグと前記上げ板との間が前記コンロッドによってヒンジで連結され、前記粉砕チャンバの頂壁の中には押しチャンバが設置され、前記押しチャンバと前記スライド溝とが連通するように設置され、前記押しチャンバの底壁には転化試薬キットが装着され、前記転化試薬キットの底端が前記粉砕チャンバに連通しており、前記転化試薬キットの頂端には破片が当接しており、前記破片の右側末端と前記押しチャンバの右壁とが固定的に連結され、前記破片の左側末端と前記プラグとが固定的に連結され、前記破片が前記プラグによって右方へ移動し、前記転化試薬キットに下方に押す力を提供することができ、それによって前記転化試薬キットに前記粉砕チャンバに転化酵素試薬を滴下することを特徴とする記載の家庭用の有機性廃棄物のバイオトランスフォーメーション装置。
【手続補正２】
【補正対象書類名】明細書
【補正対象項目名】全文
【補正方法】変更
【補正の内容】
【発明の詳細な説明】
【技術分野】
【０００１】
本発明はバイオトランスフォーメーション技術分野に関わり、具体的には家庭用の有機性廃棄物のバイオトランスフォーメーション装置である。
【背景技術】
【０００２】
バイオトランスフォーメーションとは毒物が酵素の触媒作用によると毒物の化学構造が変わる代謝過程であり、家には有機性廃棄物があったら、一般的にゴミと一緒に直接捨てられ、こうしてゴミ分別の理念と符合しなくなり、二次汚染が発生しやすく、しかしこういう有機性廃棄物にバイオトランスフォーメーションの処理を行うと、得た変成物は二次利用されることができ、肥料又は助燃剤として使われることができ、環境を汚染する可能性を大に下げ、従って、家庭用の有機性廃棄物のバイオトランスフォーメーション装置をデザインする必要があり、家庭に生み出された有機性廃棄物が環境を汚染することはしなく、有機性廃棄物がより効果的に利用されることができる。
【先行技術文献】
【特許文献】
【０００３】
【特許文献１】中国特許出願公開第１９３８４０５号明細書
【発明の概要】
【発明が解決しようとする課題】
【０００４】
本発明は家庭用の有機性廃棄物のバイオトランスフォーメーション装置を提供し、既存技術にある上記の欠点を解消することを目的とする。
【課題を解決するための手段】
【０００５】
本発明の実施例の家庭用の有機性廃棄物のバイオトランスフォーメーション装置は、主体を含み、前記主体の中には輸送チャンバが設置され、前記輸送チャンバの下側には転化チャンバが設置され、前記転化チャンバが前記輸送チャンバと連通でき、前記輸送チャンバの右側には粉砕チャンバが設置され、前記粉砕チャンバと前記輸送チャンバとが連通するように設置され、前記粉砕チャンバの下側には圧力かけチャンバが設置され、前記圧力かけチャンバが前記粉砕チャンバと連通でき、前記圧力かけチャンバの左側には移動チャンバが設置され、前記移動チャンバの中には、自体が右方へ移動できる圧力かけ機構が設置され、前記粉砕チャンバの中には固体有機性廃棄物を粉砕できる粉砕機構が設置され、前記輸送チャンバの中には輸送機構が設置され、前記輸送チャンバの右壁には閉鎖されたチャンバを開けることができるドア開け機構が設置され、前記輸送チャンバの後側には伝動チャンバが設置され、前記伝動チャンバの中には伝動を制御する伝動機構が設置され、前記伝動チャンバの下側には動力チャンバが設置され、前記動力チャンバの中には動力を提供する動力機構が設置されている。
【０００６】
さらなる技術プランには、前記ドア開け機構は上げ板と、コンロッドと、プラグとを含み、前記上げ板と前記輸送チャンバの右壁とがヒンジで連結され、前記輸送チャンバの右壁の中にはスライド溝が形成されており、前記プラグが前記スライド溝の中にスライドできるように設置され、前記プラグと前記上げ板との間が前記コンロッドによってヒンジで連結され、前記粉砕チャンバの頂壁の中には押しチャンバが設置され、前記押しチャンバと前記スライド溝とが連通するように設置され、前記押しチャンバの底壁には転化試薬キットが装着され、前記転化試薬キットの底端が前記粉砕チャンバに連通しており、前記転化試薬キットの頂端には破片が当接しており、前記破片の右側末端と前記押しチャンバの右壁とが固定的に連結され、前記破片の左側末端と前記プラグとが固定的に連結されている。
【０００７】
さらなる技術プランには、前記輸送機構は前記輸送チャンバの後側壁に回転できるように設置された二つの伝動軸を含み、二つの前記伝動軸が左右対称的に設置され、二つの前記伝動軸の外周にはいずれもメッシュベルト輪が固定的に設置され、二つの前記メッシュベルト輪の間にはメッシュベルトが装着されている。
【０００８】
さらなる技術プランには、左側の前記伝動軸の後方に伸びている部分が前記輸送チャンバの後壁を貫通し、また前記伝動チャンバの中に伸びており、左側に位置している前記伝動軸の後端には第一伝動輪が固定的に設置され、前記伝動チャンバの後壁には第一従動軸が回転できるように設置され、前記第一従動軸の外周には第二伝動輪が固定的に設置され、前記第二伝動輪と前記第一伝動輪とが噛み合っており、前記伝動チャンバの底壁には長軸が回転できるように設置され、前記長軸の頂端には第一ベベルギヤが固定的に設置され、前記第一従動軸の前端には第二ベベルギヤが固定的に設置され、前記第二ベベルギヤと前記第一ベベルギヤとが噛み合っており、前記長軸の外周には第一ギヤが固定的に設置され、前記輸送チャンバと前記転化チャンバとの間には仕切り板がスライドできるように設置され、前記仕切り板の後端は歯を持ち、且つ前記第一ギヤと噛み合っている。
【０００９】
さらなる技術プランには、前記転化チャンバの左壁にはスライドロッドが固定的に設置され、前記転化チャンバの左側内壁の中には試薬瓶が固定的に嵌められ、前記スライドロッドの外周には第一スライダと第二スライダとがスライドできるように設置され、前記第一スライダが前記スライドロッドの下端と当接しており、前記第二スライダが前記試薬瓶の右端と当接しており、前記第一スライダと前記第二スライダとの間にはばねが装着され、前記転化チャンバの下側が外部空間と連通するように設置され、且つ連通したところにはバルブが固定的に設置されている。
【００１０】
さらなる技術プランには、前記粉砕機構は前記粉砕チャンバの後壁に回転できるように設置された旋転軸を含み、前記旋転軸の外周には粉砕輪が固定的に設置され、前記旋転軸の後方に伸びている部分が前記伝動チャンバの中に伸びており、また前記旋転軸の後方に伸びている部分の末端には第三ベベルギヤが固定的に設置され、前記伝動チャンバの底壁には第一スクリューが回転できるように設置され、前記第一スクリューの頂端には第四ベベルギヤが固定的に設置され、前記第四ベベルギヤと前記第三ベベルギヤとが噛み合っており、前記第一スクリューの外周には第一ベルトプーリが固定的に設置され、前記長軸の外周には第二ベルトプーリが固定的に設置され、前記第二ベルトプーリが前記第一ギヤの下側に位置しており、前記第二ベルトプーリと前記第一ベルトプーリとの間にはベルトが装着されている。
【００１１】
さらなる技術プランには、前記動力機構はモーターを含み、前記モーターの左右両側には二つの対称的に設置された電磁石が固定的に設置され、前記動力チャンバの左右両側端壁には二つの対称的に設置された磁石が固定的に設置され、前記モーターには第二ギヤが動力が伝達できるように連結され、前記長軸の下方に伸びている部分が前記伝動チャンバの底壁を貫通して前記動力チャンバの中に伸びており、また前記長軸の下方に伸びている部分の末端には第三ギヤが固定的に設置され、前記第三ギヤが前記第二ギヤと噛み合うことができ、前記動力チャンバの下側には補助チャンバが設置され、前記補助チャンバと前記動力チャンバとの間の内壁には上下方向に伸びるように設置された第二従動軸が回転できるように設置され、前記第二従動軸の上方に伸びている部分の末端には第四ギヤが固定的に設置され、前記第四ギヤが前記第二ギヤと噛み合うことができ、前記第二従動軸の下方に伸びている部分の末端には第三伝動輪が固定的に設置されている。
【００１２】
さらなる技術プランには、前記圧力かけ機構はプッシュ板と回収ドアとを含み、前記回収ドアがロックされ又は開けられることができ、前記プッシュ板が前記圧力かけチャンバの中にスライドできるように設置され、前記回収ドアが前記主体の右端面に位置しており、前記プッシュ板の左端には第一ネジスリーブが固定的に設置され、前記移動チャンバの左壁には第二スクリューが回転できるように設置され、前記第二スクリューと前記第一ネジスリーブとがネジ山によって連結され、前記第二スクリューの外周には第五ベベルギヤが固定的に設置され、前記移動チャンバと前記補助チャンバとの間の内壁には前後方向に伸びるように設置された第一短軸が回転できるように設置され、前記第一短軸の前方に伸びている部分の末端には第六ベベルギヤが固定的に設置され、前記第六ベベルギヤと前記第五ベベルギヤとが噛み合っており、前記第一短軸の後方に伸びている部分の末端には第四伝動輪が固定的に設置され、前記第四伝動輪と前記第三伝動輪とが噛み合っている。
【発明の効果】
【００１３】
本発明の有益な効果は：本発明によって家庭に生み出された有機性廃棄物を効果的に利用でき、更に人のゴミ分別への意識を高め、得た変成物は有機性肥料として花又は農作物などに施され、助燃剤として使われることもでき、また一部の毒のある有機性廃棄物は十分に制御され、直接排出されたために環境を汚染することはしなく、同時に本発明は固体有機性廃棄物と液体有機性廃棄物という二つの形態の有機性廃棄物を選別して分離させることができ、効果的にバイオトランスフォーメーションを行い、粉砕機構は固定有機性廃棄物を粉砕でき、顆粒を小さくなさせ、有機転化反応が起こりやすく、圧力かけ機構は転化された後の変成物をより良く収集でき、さらに使いやすいドア開け機構は、入れた有機性廃棄物が多くければ、ドアが開いている時間が長くなり、機構が伝動した後に押し出された転化酵素試薬が多くなり、装置全体は複数の機構が連動作動するのであり、効率が高く、コストが低い。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の家庭用の有機性廃棄物のバイオトランスフォーメーション装置の内部全体構造略図
【図２】図２は本発明の中のＡ―Ａ方向の部分構造略図
【図３】図３は本発明の中のＢ―Ｂ方向の部分構造略図
【図４】図４は本発明の中のＣの部分構造拡大略図
【図５】図５は本発明の中のＤの部分構造拡大略図
【発明を実施するための形態】
【００１６】
図１〜５を参照し、本発明の実施例の家庭用の有機性廃棄物のバイオトランスフォーメーション装置は、主体１１を含み、前記主体１１の中には輸送チャンバ１４が設置され、前記輸送チャンバ１４の下側には転化チャンバ２２が設置され、前記転化チャンバ２２が前記輸送チャンバ１４と連通でき、前記輸送チャンバ１４の右側には粉砕チャンバ７０が設置され、前記粉砕チャンバ７０と前記輸送チャンバ１４とが連通するように設置され、前記粉砕チャンバ７０の下側には圧力かけチャンバ３５が設置され、前記圧力かけチャンバ３５が前記粉砕チャンバ７０と連通でき、前記圧力かけチャンバ３５の左側には移動チャンバ２９が設置され、前記移動チャンバ２９の中には、自体が右方へ移動できる圧力かけ機構１０４が設置され、前記粉砕チャンバ７０の中には固体有機性廃棄物を粉砕できる粉砕機構１０３が設置され、前記輸送チャンバ１４の中には輸送機構１０２が設置され、前記輸送チャンバ１４の右壁には閉鎖されたチャンバを開けることができるドア開け機構１０１が設置され、前記輸送チャンバ１４の後側には伝動チャンバ３７が設置され、前記伝動チャンバ３７の中には伝動を制御する伝動機構１０５が設置され、前記伝動チャンバ３７の下側には動力チャンバ４９が設置され、前記動力チャンバ４９の中には動力を提供する動力機構１０６が設置されている。
【００１７】
前記ドア開け機構１０１は上げ板１２と、コンロッド１３と、プラグ２１とを含み、前記上げ板１２と前記輸送チャンバ１４の右壁とがヒンジで連結され、前記輸送チャンバ１４の右壁の中にはスライド溝２５が形成されており、前記プラグ２１が前記スライド溝２５の中にスライドできるように設置され、前記プラグ２１と前記上げ板１２との間が前記コンロッド１３によってヒンジで連結され、前記粉砕チャンバ７０の頂壁の中には押しチャンバ６４が設置され、前記押しチャンバ６４と前記スライド溝２５とが連通するように設置され、前記押しチャンバ６４の底壁には転化試薬キット６６が装着され、前記転化試薬キット６６の底端が前記粉砕チャンバ７０に連通しており、前記転化試薬キット６６の頂端には破片６５が当接しており、前記破片６５の右側末端と前記押しチャンバ６４の右壁とが固定的に連結され、前記破片６５が前記プラグ２１によって右方へ移動し、前記転化試薬キット６６に下方に押す力を提供することができ、それによって前記転化試薬キット６６に前記粉砕チャンバ７０に転化酵素試薬を滴下する。
【００１８】
前記輸送機構１０２は前記輸送チャンバ１４の後側壁に回転できるように設置された二つの伝動軸１７を含み、二つの前記伝動軸１７が左右対称的に設置され、二つの前記伝動軸１７の外周にはいずれもメッシュベルト輪１６が固定的に設置され、二つの前記メッシュベルト輪１６の間にはメッシュベルト１５が装着され、前記メッシュベルト輪１６の回転によって、前記メッシュベルト１５は伝動輸送の作用を果たすことができる。
【００１９】
左側の前記伝動軸１７の後方に伸びている部分が前記輸送チャンバ１４の後壁を貫通し、また前記伝動チャンバ３７の中に伸びており、左側に位置している前記伝動軸１７の後端には第一伝動輪３８が固定的に設置され、前記伝動チャンバ３７の後壁には第一従動軸３９が回転できるように設置され、前記第一従動軸３９の外周には第二伝動輪４０が固定的に設置され、前記第二伝動輪４０と前記第一伝動輪３８とが噛み合っており、前記伝動チャンバ３７の底壁には長軸４２が回転できるように設置され、前記長軸４２の頂端には第一ベベルギヤ４１が固定的に設置され、前記第一従動軸３９の前端には第二ベベルギヤ２６が固定的に設置され、前記第二ベベルギヤ２６と前記第一ベベルギヤ４１とが噛み合っており、前記長軸４２の外周には第一ギヤ４４が固定的に設置され、前記輸送チャンバ１４と前記転化チャンバ２２との間には仕切り板１８がスライドできるように設置され、前記仕切り板１８の後端は歯を持ち、且つ前記第一ギヤ４４と噛み合っており、前記長軸４２の回転によって、前記伝動軸１７を回転連動させることができ、それによって前記メッシュベルト１５に動力を伝達させ、また前記仕切り板１８を左方へ移動させることができ、前記輸送チャンバ１４と前記転化チャンバ２２とを連通させる。
【００２０】
前記転化チャンバ２２の左壁にはスライドロッド８０が固定的に設置され、前記転化チャンバ２２の左側内壁の中には試薬瓶２３が固定的に嵌められ、前記スライドロッド８０の外周には第一スライダ６９と第二スライダ６７とがスライドできるように設置され、前記第一スライダ６９が前記スライドロッド８０の下端と当接しており、前記第二スライダ６７が前記試薬瓶２３の右端と当接しており、前記第一スライダ６９と前記第二スライダ６７との間にはばね６８が装着され、前記転化チャンバ２２の下側が外部空間と連通するように設置され、且つ連通したところにはバルブ２４が固定的に設置され、前記転化チャンバ２２の中の液体が多くなると、前記第一スライダ６９を上昇させ、更に第二スライダ６７を上昇連動させ、それによって前記試薬瓶２３を開けて前記転化チャンバ２２の中に転化酵素試薬を加えることができる。
【００２１】
前記粉砕機構１０３は前記粉砕チャンバ７０の後壁に回転できるように設置された旋転軸２０を含み、前記旋転軸２０の外周には粉砕輪１９が固定的に設置され、前記旋転軸２０の後方に伸びている部分が前記伝動チャンバ３７の中に伸びており、また前記旋転軸２０の後方に伸びている部分の末端には第三ベベルギヤ８２が固定的に設置され、前記伝動チャンバ３７の底壁には第一スクリュー４５が回転できるように設置され、前記第一スクリュー４５の頂端には第四ベベルギヤ４３が固定的に設置され、前記第四ベベルギヤ４３と前記第三ベベルギヤ８２とが噛み合っており、前記第一スクリュー４５の外周には第一ベルトプーリ４６が固定的に設置され、前記長軸４２の外周には第二ベルトプーリ４７が固定的に設置され、前記第二ベルトプーリ４７が前記第一ギヤ４４の下側に位置しており、前記第二ベルトプーリ４７と前記第一ベルトプーリ４６との間にはベルト４８が装着され、前記長軸４２の回転によって前記第一スクリュー４５を回転連動させることができ、更に前記粉砕輪１９を回転連動させ、粉砕する作用を果たす。
【００２２】
前記動力機構１０６はモーター５３を含み、前記モーター５３の左右両側には二つの対称的に設置された電磁石５４が固定的に設置され、前記動力チャンバ４９の左右両側端壁には二つの対称的に設置された磁石５６が固定的に設置され、前記モーター５３には第二ギヤ５１が動力が伝達できるように連結され、前記長軸４２の下方に伸びている部分が前記伝動チャンバ３７の底壁を貫通して前記動力チャンバ４９の中に伸びており、また前記長軸４２の下方に伸びている部分の末端には第三ギヤ５０が固定的に設置され、前記第三ギヤ５０が前記第二ギヤ５１と噛み合うことができ、前記動力チャンバ４９の下側には補助チャンバ５５が設置され、前記補助チャンバ５５と前記動力チャンバ４９との間の内壁には上下方向に伸びるように設置された第二従動軸５７が回転できるように設置され、前記第二従動軸５７の上方に伸びている部分の末端には第四ギヤ５２が固定的に設置され、前記第四ギヤ５２が前記第二ギヤ５１と噛み合うことができ、前記第二従動軸５７の下方に伸びている部分の末端には第三伝動輪５８が固定的に設置され、モーター５３が左右に移動することによって、それぞれ前記第二従動軸５７を回転連動させ又は前記長軸４２を回転連動させることができる。
【００２３】
前記圧力かけ機構１０４はプッシュ板３４と回収ドア３６とを含み、前記回収ドア３６がロックされ又は開けられることができ、前記プッシュ板３４が前記圧力かけチャンバ３５の中にスライドできるように設置され、前記回収ドア３６が前記主体１１の右端面に位置しており、前記プッシュ板３４の左端には第一ネジスリーブ３３が固定的に設置され、前記移動チャンバ２９の左壁には第二スクリュー３０が回転できるように設置され、前記第二スクリュー３０と前記第一ネジスリーブ３３とがネジ山によって連結され、前記第二スクリュー３０の外周には第五ベベルギヤが固定的に設置され、前記移動チャンバ２９と前記補助チャンバ５５との間の内壁には前後方向に伸びるように設置された第一短軸６０が回転できるように設置され、前記第一短軸６０の前方に伸びている部分の末端には第六ベベルギヤ３２が固定的に設置され、前記第六ベベルギヤ３２と前記第五ベベルギヤ３１とが噛み合っており、前記第一短軸６０の後方に伸びている部分の末端には第四伝動輪５９が固定的に設置され、前記第四伝動輪５９と前記第三伝動輪５８とが噛み合っており、前記第二従動軸５７の回転によって、前記第二スクリュー３０を回転させることができ、更に前記プッシュ板３４に右方へ押させる。
【００２４】
前記補助チャンバ５５の後壁には二つの左右対称の第二短軸２７が回転できるように設置され、二つの前記第二短軸２７の外周にはいずれもリール７２が固定的に設置され、前記リール７２の前端には前記リール７２を復帰させるトーションばね７７が固定的に設置され、前記第一スクリュー４５の下方に伸びている部分が前記補助チャンバ５５の上壁を貫通し、且つ前記補助チャンバ５５の中に伸びており、また前記第一スクリュー４５の下方に伸びている部分の末端の外周には第二ネジスリーブ６１がネジ山によって連結され、二つの前記リール７２と前記第二ネジスリーブ６１との間がいずれも鋼線７１によって連結され、前記鋼線７１が前記第二ネジスリーブ６１の底端と当接しており、二つの前記第二短軸２７の前方に伸びている部分が前記粉砕チャンバ７０の後壁を貫通して前記粉砕チャンバ７０の中に伸びており、また二つの前記第二短軸２７の前方に伸びている部分の末端にはいずれも密封板２８が固定的に設置され、前記第一スクリュー４５の回転によって前記第二ネジスリーブ６１が回転でき、更に前記リール７２を回転連動させ、それによって前記密封板２８が回転して開けられ、前記粉砕チャンバ７０が前記圧力かけチャンバ３５と連通するように設置されることができる。
【００２５】
使用の時、転化する押しボタンを押し、モーター５３が右方へ移動し、第二ギヤ５１と第三ギヤ５０とが噛み合い、長軸を回転させ、それによって第一ギヤ４４が回転して仕切り板１８を開け、輸送チャンバ１４と転化チャンバ２２とを連通させ、長軸４２が回転して第一従動軸３９を連動させ、それによって伝動軸１７が回転し、更にメッシュベルト１５に動力を伝達させて作動し、長軸４２が回転してベルト４８に動力を伝達させ、それによって第一スクリュー４５が回転し、更に旋転軸２０を回転させて粉砕輪１９を回転連動させ、第一スクリュー４５が回転して第二ネジスリーブ６１を上方へ移動連動させて密封板２８を閉じ、この時、上げ板１２を開けて有機性廃棄物を入れ、上げ板１２が開いている時間が長ければ、転化試薬キット６６が押し出した転化酵素試薬が多くなり、転化し終わった後、モーター５３が逆方向に回転し、密封板２８を開け、変成物を圧力かけチャンバ３５の中に落とし、モーター５３が左方へ移動し、第四ギヤ５２と第二ギヤ５１とを噛み合わせ、それによって第二従動軸５７が回転し、更に第一短軸６０を回転させ、第二スクリュー３０を回転させ、それによって第一ネジスリーブ３３が右方へ移動し、それによってプッシュ板３４が右方へ変成物に圧力をかけ、回収ドア３６を開けて変成物を回収し、同時に試薬瓶２３の中の転化酵素試薬が転化チャンバ２２の中に落ちた液体有機性廃棄物を変成物に転化でき、しばらくしてバルブ２４を開けて変成物を収集する。
【００２６】
本発明の有益な効果は：本発明によって家庭に生み出された有機性廃棄物を効果的に利用でき、更に人のゴミ分別への意識を高め、得た変成物は有機性肥料として花又は農作物などに施され、助燃剤として使われることもでき、また一部の毒のある有機性廃棄物は十分に制御され、直接排出されたために環境を汚染することはしなく、同時に本発明は固体有機性廃棄物と液体有機性廃棄物という二つの形態の有機性廃棄物を選別して分離させることができ、効果的にバイオトランスフォーメーションを行い、粉砕機構は固定有機性廃棄
物を粉砕でき、顆粒を小さくなさせ、有機転化反応が起こりやすく、圧力かけ機構は転化された後の変成物をより良く収集でき、さらに使いやすいドア開け機構は、入れた有機性廃棄物が多くければ、ドアが開いている時間が長くなり、機構が伝動した後に押し出された転化酵素試薬が多くなり、装置全体は複数の機構が連動作動するのであり、効率が高く、コストが低い。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。